(57)【特許請求の範囲】
【請求項１】
鉛直方向に延伸し、かつ側面に開口孔を有する中空の主ポールと、
前記主ポールの開口孔に一端部が挿入されて溶接され、他端部に照明器具又は電気機器が取り付けられた中空の枝ポールと、
前記枝ポールにおける前記主ポール内の前記一端部に設けられ、前記主ポールの内面に係止される、前記枝ポールが前記主ポールから外れて落下するのを防止する落下防止部材と、
を備え、
前記落下防止部材は、
前記枝ポールが前記主ポールの前記開口孔に挿入されて溶接された状態で、前記枝ポールの、鉛直方向における上側および下側に位置する一対の係止片を備え、
前記一対の係止片の各々は、弾性を有すると共に、前記枝ポールが前記主ポールの前記開口孔に挿入される前の状態で、前記枝ポールの外周面から外側に突出し、かつ前記枝ポールの前記一端部側の先端に近づくほど突出長が減少する、平面または曲面の傾斜面を有する形状であり、
前記一対の係止片の各々は、前記枝ポールの一端部が前記主ポールの前記開口孔に挿入される際に、前記傾斜面が、前記主ポールの、前記開口孔の周囲の壁部によって押圧されることによって弾性変形して前記枝ポールの外周面よりも内側に入り込んだ状態となり、前記枝ポールの一端部が前記主ポールの開口孔に挿入された後、弾性復元して前記枝ポールの外周面から外側に突出した状態に戻り、
前記枝ポールが前記主ポールに溶接された状態では、弾性復元された前記一対の係止片の各々は、前記主ポールの内部空間において、前記主ポールの内面から離れて位置する柱構造。
【請求項２】
請求項１に記載の柱構造において、
前記枝ポールの前記一端部における外周面に、前記一対の係止片の各々に対応する一対の係止孔が設けられ、
前記落下防止部材は、前記枝ポールが前記主ポールの前記開口孔に挿入されて溶接された状態で、前記枝ポールを鉛直方向に横切る連結片としての第１部分と、前記第１部分の上端に連接して前記枝ポールの長手方向に延びる第２部分と、前記第１部分の下端に連接して前記枝ポールの長手方向に延びる第３部分と、前記第２部分の端部に連接し、前記一対の係止孔のうちの上側の係止孔に挿通されて前記枝ポールの外周面よりも上側に突出し、前記一対の係止片のうちの上側の係止片として機能する第４部分と、前記第３部分の端部に連接し、前記一対の係止孔のうちの下側の係止孔に挿通されて前記枝ポールの外周面よりも下側に突出し、前記一対の係止片のうちの下側の係止片として機能する第５部分と、を備えるバネ部材である柱構造。
【請求項３】
請求項１に記載の柱構造において、
前記枝ポールの前記一端部における外周面に、前記一対の係止片の各々に対応する一対の係止孔が設けられ、
前記落下防止部材は、前記枝ポールが前記主ポールの前記開口孔に挿入されて溶接された状態で、前記枝ポールを鉛直方向に横切る中空のパイプ部材と、前記パイプ部材に挿入されているコイルバネと、前記コイルバネによって鉛直方向に付勢されると共に前記パイプ部材内に位置する横片、および前記横片に連接すると共に、前記一対の係止孔の各々に挿通されて前記枝ポールの外周面よりも外側に突出し、前記一対の係止片の各々として機能する縦片を有する一対の係止部と、を備える柱構造。
【発明の詳細な説明】
【技術分野】
【０００１】
本発明は、柱構造に関する。
【背景技術】
【０００２】
従来、主ポールの側面に設けられた開口孔に、枝ポールの一端部が挿入されて溶接固定され、枝ポールの他端に照明器具または電気機器が設けられた柱構造が知られている（例えば、特許文献１参照）。
【先行技術文献】
【特許文献】
【０００３】
【特許文献１】特開２００８−３０５７６８号公報（段落００２０、図３）
【発明の概要】
【発明が解決しようとする課題】
【０００４】
しかしながら、従来の柱構造においては、主ポールと枝ポールとの溶接部分が損傷した場合、枝ポールが落下する虞があった。
【０００５】
本発明は、主ポールと枝ポールとの溶接部分が損傷しても、枝ポールが落下するのを抑制できるポールの柱構造を提供することにある。
【課題を解決するための手段】
【０００６】
本発明は、鉛直方向に延伸し、かつ側面に開口孔を有する中空の主ポールと、前記主ポールの開口孔に一端部が挿入されて溶接され、他端部に照明器具又は電気機器が取り付けられた中空の枝ポールと、前記枝ポールにおける前記主ポール内の前記一端部に設けられ、前記主ポールの内面に係止される、前記枝ポールが前記主ポールから外れて落下するのを防止する落下防止部材と、を備え、前記落下防止部材は、前記枝ポールが前記主ポールの前記開口孔に挿入されて溶接された状態で、前記枝ポールの、鉛直方向における上側および下側に位置する一対の係止片を備え、前記一対の係止片の各々は、弾性を有すると共に、前記枝ポールが前記主ポールの前記開口孔に挿入される前の状態で、前記枝ポールの外周面から外側に突出し、かつ前記枝ポールの前記一端部側の先端に近づくほど突出長が減少する、平面または曲面の傾斜面を有する形状であり、前記一対の係止片の各々は、前記枝ポールの一端部が前記主ポールの前記開口孔に挿入される際に、前記傾斜面が、前記主ポールの、前記開口孔の周囲の壁部によって押圧されることによって弾性変形して前記枝ポールの外周面よりも内側に入り込んだ状態となり、前記枝ポールの一端部が前記主ポールの開口孔に挿入された後、弾性復元して前記枝ポールの外周面から外側に突出した状態に戻り、前記枝ポールが前記主ポールに溶接された状態では、弾性復元された前記一対の係止片の各々は、前記主ポールの内部空間において、前記主ポールの内面から離れて位置する。
【０００７】
また、本発明は、前記枝ポールの前記一端部における外周面に、前記一対の係止片の各々に対応する一対の係止孔が設けられ、前記落下防止部材は、前記枝ポールが前記主ポールの前記開口孔に挿入されて溶接された状態で、前記枝ポールを鉛直方向に横切る連結片としての第１部分と、前記第１部分の上端に連接して前記枝ポールの長手方向に延びる第２部分と、前記第１部分の下端に連接して前記枝ポールの長手方向に延びる第３部分と、前記第２部分の端部に連接し、前記一対の係止孔のうちの上側の係止孔に挿通されて前記枝ポールの外周面よりも上側に突出し、前記一対の係止片のうちの上側の係止片として機能する第４部分と、前記第３部分の端部に連接し、前記一対の係止孔のうちの下側の係止孔に挿通されて前記枝ポールの外周面よりも下側に突出し、前記一対の係止片のうちの下側の係止片として機能する第５部分と、を備えるバネ部材である。
【０００８】
また、本発明は、前記枝ポールの前記一端部における外周面に、前記一対の係止片の各々に対応する一対の係止孔が設けられ、前記落下防止部材は、前記枝ポールが前記主ポールの前記開口孔に挿入されて溶接された状態で、前記枝ポールを鉛直方向に横切る中空のパイプ部材と、前記パイプ部材に挿入されているコイルバネと、前記コイルバネによって鉛直方向に付勢されると共に前記パイプ部材内に位置する横片、および前記横片に連接すると共に、前記一対の係止孔の各々に挿通されて前記枝ポールの外周面よりも外側に突出し、前記一対の係止片の各々として機能する縦片を有する一対の係止部と、を備える。
【発明の効果】
【０００９】
本発明によれば、枝ポールの一端部に設けられた落下防止部材が、主ポールの内面に係止されるので、枝ポールと主ポールとの溶接部が損傷しても、枝ポールが落下するのを抑制できる。
【図面の簡単な説明】
【００１０】
【図１】本発明に係る実施形態の照明装置を示す図
【図２】実施形態の主ポールおよび枝ポールの取り付け部を示す断面図
【図３】図３（Ａ）は実施形態の落下防止部材を示す斜視図、図３（Ｂ）は落下防止部材の取付状態を示す斜視図
【図４】図４（Ａ）は実施形態の落下防止部材を取り付けた枝ポールを主ポールに取り付ける直前の状態を示す断面図、図４（Ｂ）は枝ポールの一端部を主ポールの開口孔に挿入した状態を示す断面図、図４（Ｃ）は枝ポールを主ポールに溶接固定した状態を示す断面図
【図５】図５（Ａ）は枝ポールが主ポールに溶接固定された状態を示す断面図、図５（Ｂ）は枝ポールと主ポールとの溶接固定部が損傷し、枝ポールの落下防止部材が主ポールの内面に係止された状態を示す図
【図６】実施形態の落下防止部材が枝ポールに溶接固定された状態を示す斜視図
【図７】変形例の落下防止部材を示す断面図
【図８】図８（Ａ）は別の変形例に係る落下防止部材を示す斜視図、図８（Ｂ）は断面図
【発明を実施するための形態】
【００１１】
以下、本発明に係る実施形態の柱構造について、図面を参照して説明する。
図１は、本発明に係る実施形態の柱構造を適用した照明装置１０を示す。この照明装置１０は、鉛直方向に延伸し、かつ側面１１に開口孔１２（図２参照）が設けられた中空の主ポール１３を備えている。
【００１２】
また、この照明装置１０は、図２に示すように、一端部１４が主ポール１３の開口孔１２に挿入されて溶接固定され、他端部１５（図１参照）に照明器具１６が取り付けられた中空の技ポール１７を備えている。枝ポール１７には、照明器具１６に代えて、ソーラーパネル等の電気機器が取り付けられる場合もある。また、照明装置１０は、枝ポール１７の一端部１４に設けられ、主ポール１３の内面１３Ａに係止される落下防止部材１８を備えている。
【００１３】
次に、上記各構成要素について説明する。主ポール１３および枝ポール１７は、例えば角管材によって形成されている。落下防止部材１８は、枝ポール１７における上下壁部に掛け渡されている。この落下防止部材１８は、図３（Ａ）に示すように、ばね部材によって側面視コ字状に形成されている。落下防止部材１８のコ字形の両端に設けられた一対の上下片１９における先端部には、鉤形の係止部２０が設けられている。
【００１４】
落下防止部材１８の一対の上下片１９は、枝ポール１７の直径部分を横切る連結片２１によって連結されている。この落下防止部材１８は、図３（Ｂ）に示すように、上下の係止部２０が、枝ポール１７の一端部１４における外周面に設けられた上下一対の係止孔２２に係止され、枝ポール１７を縦に横切るように取り付けられている。落下防止部材１８の係止部２０は、枝ポール１７の外周面１７Ａより外側に突出している。
【００１５】
枝ポール１７を主ポール１３に取り付けるには、図４（Ａ）に示すように、落下防止部材１８の係止部２０，２０を上下にして、枝ポール１７の一端部１４を主ポール１３の開口孔１２に挿入する。このとき、係止部２０は、図４（Ｂ）に示すように、開口孔１２の内周壁部によって内側に押圧されて枝ポール１７の外周面１７Ａより内側に弾性変形する。
【００１６】
枝ポール１７の一端部１４が主ポール１３内へさらに挿入されるのに伴って、係止部２０が枝ポール１７の外周面１７Ａより内側へ完全に挿入される。落下防止部材１８の係止部２０が主ポール１３の内側へ完全に挿入されると、係止部２０に加えられていた圧力が除去されて弾性復元し、枝ポール１７の外周面１７Ａより外側に突出する。これにより、上下の係止部２０，２０間の最大寸法は、開口孔１２の直径より大となる。この状態で、枝ポール１７が主ポール１３に溶接固定される。
【００１７】
枝ポール１７が主ポール１３に溶接固定された状態では、図５（Ａ）に示すように、落下防止部材１８の上下の係止部２０，２０が、主ポール１３の内面１３Ａから離間されている。
【００１８】
ここで、何らかの原因で枝ポール１７と主ポール１３との溶接固定部が損傷した場合、図５（Ｂ）に示すように、枝ポール１７が自重により主ポール１３から引き抜かれる方向に移動する。枝ポール１７がある程度移動すると、落下防止部材１８の上下の係止部２０，２０が主ポール１３の内面１３Ａに係止され、枝ポール１７が自重によって落下するのが抑制される。
【００１９】
なお、図６に示すように、落下防止部材１８は、連結片２１と上下片１９との境界部分を枝ポール１７に溶着２３できる。これにより、落下防止部材１８をより確実に枝ポール１７に固定できる。
【００２０】
この照明装置１０によれば、枝ポール１７と主ポール１３との溶接部が損傷した場合でも、枝ポール１７が主ポール１３から引き抜かれる方向に僅かに移動したとき、枝ポール１７に設けられた落下防止部材１８の係止部２０，２０が、主ポール１３の内面１３Ａに係止される。これにより、枝ポール１７が主ポール１３から落下するのを抑制できる。
【００２１】
また、落下防止部材１８の係止部２０，２０は、弾性を有しているので、枝ポール１７の一端部１４を主ポール１３の開口孔１２に挿入される際に、枝ポール１７の内方へ弾性変形する。さらに、枝ポール１７が、主ポール１３の開口孔１２に挿入された後、係止部２０，２０が外側へ弾性復元し、主ポール１３の内面１３Ａに係止される。したがって、枝ポール１７の取り付け作業が容易になる。
【００２２】
さらに、落下防止部材１８は、連結片２１の両端に設けられた一対の係止部２０を有し、一対の係止部２０は、それぞれ枝ポール１７の外周面１７Ａに設けられた一対の係止孔２２に挿入されていることにより、枝ポール１７が落下するのを確実に抑制できる。
【００２３】
（第１変形例）
図７は、第１変形例の落下防止部材３０を示す。なお、以下の説明では、図１〜図６と同様の部分には同一の符号を付けて、詳細な説明を省略する。
【００２４】
この落下防止部材３０は、枝ポール１７内にその直径部分を横切るように縦長のパイプ部材３１が配置され、その内部にコイルバネ３２が挿入されている。このコイルバネ３２によって、パイプ部材３１の上下端部に挿入された係止部３３が外側に付勢されている。
【００２５】
係止部３３は、ほぼＴ字状に形成され、その横片３４が枝ポール１７内に挿入され、楔状の縦片３５が枝ポール１７の係止孔２２から外側に移動自在に突出している。縦片３５の先端部は楔状に形成されているため、主ポール１３の開口孔１２に挿入しやすく、かつ主ポール１３の内面１３Ａに確実に係止される。
【００２６】
（第２変形例）
図８(Ａ)、(Ｂ)は、第２変形例の落下防止部材４０を示す。この落下防止部材４０は、図８（Ａ）に示すように、枝ポール１７の上下壁部が切り起こされ、外周面１７Ａの外側に突出するた係止部４１，４１を有している。係止部４１，４１は外周面１７Ａの内外方向へ弾性変形可能であり、上記係止部２０，２０と同様の機能を有している。
【符号の説明】
【００２７】
１０  照明装置
１１  側面
１２  開口孔
１３  主ポール
１３Ａ  内面
１４  一端部
１５  他端部
１６  照明器具
１７  技ポール
１７Ａ  外周面
１８  落下防止部材
１９  上下片
２０  係止部
２１  連結片
２２  係止孔
２３  溶着
３０  落下防止部材
３１  パイプ部材
３２  コイルバネ
３３  係止部
３４  横片
３５  縦片
４０  落下防止部材
４１  係止部
【図１】
0005845469.tif 000002
【図２】
0005845469.tif 000003
【図３】
0005845469.tif 000004
【図４】
0005845469.tif 000005
【図５】
0005845469.tif 000006
【図６】
0005845469.tif 000007
【図７】
0005845469.tif 000008
【図８】
0005845469.tif 000009